(57)【要約】【課題】  火葬時に遺体とともに燃焼させても、燃焼中に遺骨に付着したり、燃焼後に残存して遺骨に混じってしまうというような問題を生じない、火葬可能な表装具を提供する。【解決手段】  掛軸本体１２は、紙を裏打ちした布上で、裂領域１４、中廻し部１５、本紙部１６および風帯部１７が印刷によって区分され、さらに転写によって金属蒸着膜領域が付加され、金襴や銀欄のような外観を得る。軸１３は、木軸１３ａで形成され、外部に露出する部分には、金属光沢帯１３ｂが巻付けられている。上部では、紐１９の接続部１９ａが裂領域１４の中間部分で、かまぼこ板１８に巻込まれて固定されるので、金属製のヒートン１０を使用した場合のような火葬後に溶け残る問題は生じない。【選択図】図１
2014200597.tif 000002
【特許請求の範囲】
【請求項１】
葬儀時には装飾に使用可能で、納棺時には火葬される遺体とともに副葬品として棺に入れることが可能な表装具であって、
布または紙の一方または両方からなる表装具本体と、
表装具本体の少なくとも表面または端部に設けられ、少なくとも金属板、金属箔、金属糸、金襴銀欄のいずれかと同等の材質感を有し、紙に金属を直接蒸着して金属膜を形成した金紙、または金属を他に蒸着して金属膜を形成した後で紙に転写した金紙を、貼付けて形成され金属質感部分とを含み、
金属および合成樹脂の使用量は、火葬時に支障を生じない範囲内である、
ことを特徴とする火葬可能な表装具。
【請求項２】
前記表装具は、掛軸であって、
前記表装具本体は、掛軸本体であり、
掛軸本体の上下に接合される木製の巻軸を含み、
下の巻軸の両端は、掛軸本体から側方に露出して、露出部分に、前記金紙が貼付けられ、
上の巻軸には、掛軸本体の上縁部に巻込んで装着した掛紐を有する、
ことを特徴とする請求項１記載の火葬可能な表装具。
【請求項３】
前記表装具本体の表面の図柄は、
印刷された接着剤の層と、接着剤の層上に転写した前記金属膜とで形成される、
ことを特徴とする請求項１または２記載の火葬可能な表装具。
【発明の詳細な説明】
【技術分野】
【０００１】
本発明は、葬儀の際や仏壇などに収容して展示する掛軸などの表装具、特に遺体を火葬する際に副葬品とすることができる、火葬可能な表装具に関する。
【背景技術】
【０００２】
従来から、和風建築物内では、書や画などを鑑賞するために、裂（きれ）や紙で表装して床の間などに掛けたり、屏風や襖（ふすま）に仕立てたりしている。特に掛軸は、大和表具と呼ばれる基本的な様式が確立し、茶席や神仏に関する様式も、それぞれ特化している。法名を記載した本紙を、再剥離可能な粘着剤で貼付けて仕立てる掛軸も発明されている（たとえば、特許文献１参照）。このような法名軸は、浄土真宗系の宗派で用いられ、仏壇に収容しておき、展示は外部に取出して行う。
【０００３】
図４は、神仏に関する様式の掛軸１の概要を示す。掛軸１は、掛軸本体２とその下端に設けられる軸３とを有し、収容時は掛軸本体２を軸３に巻いておく。神仏に関する様式の掛軸本体２は、裂４の中の中廻し５に、本紙６が貼付けられる。中廻し５の上部には、風帯７が上端まで設けられる。裂４は、上裂４ａおよび下裂４ｂと、中裂４ｃとに分けられ、上縁４ｄおよび下縁４ｅは、かまぼこ板８および軸３で折返されて、それぞれの裏面側に接合される。裂４、中廻し５および風帯７は、金襴や銀欄などの華麗で荘厳な織物が使用される。かまぼこ板８は、半円形などの断面型状を有し、木製で、上裂４ａが巻付けられているので、少なくとも正面からは見えない。ただし、頂部には、吊下げ用の紐９を掛けるヒートン１０が装着されている。軸３は、木軸３ａの両端に金属のキャップ３ｂを被せて、キャップ３ｂが露出するようにされている。
【０００４】
掛軸１は、仏壇などに展開した状態で収容可能な、小型化したものも用いられている。裂４として、平箔と呼ばれる形態の金糸や銀糸による金襴や銀欄が使用される。中廻し５や風帯７も同様に製造して、貼付ける。
【０００５】
今日、本葬儀が終了すると、遺体は火葬される。しかしながら、火葬の際には、燃焼への障害、遺骨への付着や混合の問題で、遺体とともに棺桶に入れることができる副葬品が制限される。遺体が着用する衣服（たとえば、特許文献２参照）は、材質に制限がある。遺体に使用される義手や義足なども、火葬時には除去する必要がある（たとえば、特許文献３参照）。さらに、心臓ペースメーカが体内に埋込まれた遺体も火葬中に電池が破裂するなどの危険があるので、火葬前に取出す必要があるとされている。
【先行技術文献】
【特許文献】
【０００６】
【特許文献１】特許第４１１８２００号公報
【特許文献２】特開２００１−９５８６４号公報
【特許文献３】特開２０１２−６１２８５号公報
【発明の概要】
【発明が解決しようとする課題】
【０００７】
図４に示すような掛軸１を、遺体とともに火葬すると、金属部分が遺骨に混合し、プラスチック部分が溶融状態で残存して、遺骨に付着し、分離が困難になる。掛軸１では、金属部分として、キャップ３ｂやヒートン１０が使用されているとともに、裂４、中廻し５および風帯７にも金属が含まれる。実際の金襴や銀欄でも、撚金糸や平箔として、金や銀、アルミニウムなどが使用される。使用される厚さは、圧延で得られる金属箔としての最小厚さ数ミクロン程度であっても、火葬後に残存してしまう。金属層を蒸着すれば、数１００オングストロームの厚さとなり、火葬後には残存しなくなる。しかしながら、蒸着金属層を使用する撚金糸や平箔は、ベース基材として、１０ミクロン程度の厚みを有するＰＥＴなどのプラスチックフィルムを使用するので、火葬時の燃焼でプラスチックが遺骨に付着してしまうという問題がある。
【０００８】
本発明の目的は、火葬時に遺体とともに燃焼させても、燃焼中に遺骨に付着したり、燃焼後に残存して遺骨に混じってしまうというような問題を生じない、火葬可能な表装具を提供することである。
【課題を解決するための手段】
【０００９】
本発明は、葬儀時には装飾に使用可能で、納棺時には火葬される遺体とともに副葬品として棺に入れることが可能な表装具であって、
布または紙の一方または両方からなる表装具本体と、
表装具本体の少なくとも表面または端部に設けられ、少なくとも金属板、金属箔、金属糸、金襴銀欄のいずれかと同等の材質感を有し、紙に金属を直接蒸着して金属膜を形成した金紙、または金属を他に蒸着して金属膜を形成した後で紙に転写した金紙を、貼付けて形成され金属質感部分とを含み、
金属および合成樹脂の使用量は、火葬時に支障を生じない範囲内である、
ことを特徴とする火葬可能な表装具である。
【００１０】
また本発明で、前記表装具は、掛軸であって、
前記表装具本体は、掛軸本体であり、
掛軸本体の上下に接合される木製の巻軸を含み、
下の巻軸の両端は、掛軸本体から側方に露出して、露出部分に、前記金紙が貼付けられ、
上の巻軸には、掛軸本体の上縁部に巻込んで装着した掛紐を有する、
ことを特徴とする。
【００１１】
また本発明で、前記表装具本体の表面の図柄は、
印刷された接着剤の層と、接着剤の層上に転写した前記金属膜とで形成される、
ことを特徴とする。
【発明の効果】
【００１２】
本発明によれば、葬儀時には装飾に使用可能で、納棺時には火葬される遺体とともに副葬品として棺に入れることが可能な表装具は、金属および合成樹脂の使用量が火葬時に支障を生じない範囲内なので、火葬中や火葬後の遺骨取出しの際に、支障が生じない。金属質感部分が設けられているので、火葬前には、華麗で荘厳な外観を有し、葬儀会場などで有効な展示や装飾として利用することができる。
【００１３】
また本発明によれば、掛軸で紐を装着するヒートンや軸に被せるキャップなどの金属部品を使用しないので、副葬しても、火葬後の遺骨中に金属部分が混合してしまうような問題は生じない。
【００１４】
また本発明で、前記表装具本体の表面の図柄は、転写した金属膜を使用して形成するので、金属膜を蒸着するベースとしてプラスチックフィルムを使用しても、表装具本体の図柄ではプラスチックフィルムを使用しなくなるので、火葬時に遺骨に付着する弊害を避けることができる。
【図面の簡単な説明】
【００１５】
【図１】図１は、本発明の一実施例としての掛軸１１の概略的な構成を模式的に示す平面図である。
【図２】図２は、図１の掛軸１１の上部と下部との部分的な構成を示す部分的な平面図である。
【図３】図３は、図１の掛軸本体１２の断面構成を模式的に示す断面図である。
【図４】図４は、従来からの掛軸１の概略的な構成を模式的に示す平面図である。
【発明を実施するための形態】
【００１６】
以下、図１〜図３、本発明の一実施例としての掛軸１１の構成を示す。説明の便宜上、説明対象の図には記載されていない部分について、他の図に記載される参照符を付して言及する場合がある。
【実施例】
【００１７】
図１は、本発明の一実施例としての掛軸１１の概略的な構成を示す。掛軸１１は、仏壇内に展示可能なように小型化されており、掛軸本体１２と、その下端に設けられる軸１３とを含む。掛軸本体１２は、紙を裏打ちした木綿などの布地などのベース上に、裂領域１４、中廻し部１５、本紙部１６および風帯部１７が印刷によって形成される。ベースは、布または紙の両方を使用しているけれども、いずれか一方のみでもよい。ただし、火葬時に焼失して、溶け残らない材質である必要がある。本紙部１６には、教典の一部などの文章や、宗教画などが表示される。この表示は、本紙部１６に直接印刷することもできるけれども、シールを貼ることでより立体的にすることができる。シールは、紙の表面に金属膜を蒸着するか、金属蒸着膜を転写し、金属蒸着膜上に表示する教典や宗教画などを印刷する。シールの裏面には、粘着層を設けて、本紙部１６に貼付ける。このようなシールは、金属蒸着膜も含めて、火葬時に溶け残らないようにすることができる。裂領域１４と、中廻し部１５、本紙部１６および風帯部１７とは、異なる色に着色され、境界部分には無着色の部分を残す。さらに、裂領域１４、中廻し部１５および風帯部１７には接着剤を印刷し、金属蒸着膜を転写することによって金襴や銀欄と同等な外観を得ることができる。軸１３は、木軸１３ａで形成され、外部に露出する部分には、金属光沢帯１３ｂが巻付けられている。
【００１８】
掛軸本体１２の上端には、木製のかまぼこ板１８が設けられる。掛軸本体１２のベースは、かまぼこ板１８に巻きついて折り返えされ、ベースの上下の両端が上縁１４ｄおよび下縁１４ｅの位置となるように、ベースの裏面側に接合される。裂領域１４がかまぼこ板１８に巻ついている部分では、吊下げ用の紐１９も、接続部１９ａをかまぼこ板１８に、掛軸本体１２のベースで巻付けて固定する。
【００１９】
図２は、（ａ）で掛軸１１の上部を、（ｂ）で掛軸１１の下部を、それぞれ示す。上部では、かまぼこ板１８に巻付けられる裂領域１４に切込み１４ｆが入れられている。切れ込み１４ｆの間隔は、紐１９の接続部１９ａの長さに対応させる。かまぼこ板１８を矢符２０に示すように装着して、切込み１４ｆで三分される裂領域１４の左側部分、および右側部分はで、矢符２１ａ，２１ｂとしてそれぞれ示すように巻込む部分では、かまぼこ板１８のみを固定する。三分される中間部分では、紐１９の接続部分１９ａをかまぼこ板１８に巻込んで固定する。図４に示すようなヒートン１０を使用しないので、金属製のヒートン１０を使用した場合に、火葬後に溶け残るような問題は生じない。
【００２０】
図２（ｂ）に示す下部では、矢符２２のように装着する軸１３の木軸１３ａの両端に、金属光沢帯１３ｂが矢符２３ａ，２３ｂに示すようにそれぞれ巻付けられ、さらに木軸１３ａの両端には、端板１３ｃがそれぞれ貼付けられている。端板１３ｃを貼付けないで、木軸１３ａの端面を金属色塗料で塗装するだけにすることもできる。図４に示すような金属製のキャップ３ａを使用しないので、火葬後に溶け残る問題を避けることができる。
【００２１】
図３は、掛軸本体１２の断面構成を、簡略化して模式的に示す。図３（ａ）に示すように、印刷した紙裏打ち布のベース１２ａの表面に、印刷によって接着剤層１２ｂのパターンを形成し、アルミニウム層１２ｃおよび着色層１２ｄを転写する。アルミニウム層１２ｃおよび着色層１２ｄは、図３（ｂ）に示すように、ＰＥＴなどのプラスチック層１２ｅ上に、離型層１２ｆを介して、着色層１２ｄおよびアルミニウム層１２ｃを形成した状態から転写して、接着剤層１２ｂによって接着されるパターンの着色層１２ｄとアルミニウム層１２ｃとを、ベース１２ａの表面に得ることができる。アルミニウム層１２ｃは、蒸着によって形成し、厚さは１ミクロン以下、たとえば３００オングストローム程度でも、十分な金属光沢を得ることができる。着色層１２ｄは、黄色系であれば、アルミニウム層１２ｃとの組合せで金色を呈し、透明系であれば銀色を呈することができる。不透明で厚い着色層１２ｄを形成すれば、アルミニウム層１２ｃは隠れて、着色された色の領域となる。圧延した箔をアルミニウム層１２ｃとして使用すると、厚さが数ミクロン、たとえば６ミクロン程度となり、火葬時に溶け残ってしまう。
【００２２】
図４に示す裂４、中廻し５および風帯７などは、平箔として製造する金糸や銀糸を、金襴や銀欄に織って製造する。図３（ｃ）に示すように、平箔は、アルミニウム層１２ｃの両側に着色層１２ｂを形成し、さらに両側をプラスチック層１２ｅで挟む形態となっている。両側のプラスチック層１２ｅは、それぞれ１０ミクロン以上、たとえば１２ミクロン程度の厚さがあり、火葬時に遺骨に貼付いてしまうおそれがある。プラスチック層１２ｅの厚さが１０ミクロンよりも薄くなると、貼合せが難しくなる。
【００２３】
図１に示す金属光沢帯１３ｂや図２（ｂ）に示す端板１３ｃは、図３（ａ）のように、紙の表面にアルミニウム層１２ｃを蒸着するか転写して形成すればよい。
【００２４】
本実施例では、掛軸１１について説明しているけれども、個人の遺影、直筆の書、などを、金属やプラスチックの使用量を抑えた掛軸として仕立てる軸装、屏風や襖のように仕立てる表装、額縁に入れる額装などとして、葬儀会場で展示することができる。展示中に参列者の故人に対する思いが込められたものを、火葬前の納棺で、遺体に副葬すれば、遺体とともに各人の思いを送ることができる。また、同じものを複数作成して葬儀会場に展示し、その一つを火葬時に副葬し、残りを仏壇などに収めれば、故人をしのぶ思いを共通にして残すこともできる。
【符号の説明】
【００２５】
１１  掛軸
１２  掛軸本体
１３  軸
１３ｂ  金属光沢帯
１４  裂領域
１８  かまぼこ板
１９  紐
【図１】
2014200597.tif 000003
【図２】
2014200597.tif 000004
【図３】
2014200597.tif 000005
【図４】
2014200597.tif 000006